Podtech/llm-jp-corpus-v4-ja_patent huggingface dataset:
(57)【要約】      （修正有）【課題】夜寝る際に使用する枕にて指の体操が出来る指健枕を提供する。  【解決手段】枕の左右に穴を設け、該穴内にビニールパイプからなる上側フランジ３と下側フランジを挿入し伸縮可能とし手の平を下にする方法と反対に手の平を上にして使用すれば更に効果があるもので寝る前に指の関節体操ができるようにした指健枕１である。指の根元に刺激を与えて関節の運動する器具は他に類がない。このようにして指健枕を使用すれば脳は活性化され健康を保つことができる。【選択図】図１
0003209570.tif 000002
【実用新案登録請求の範囲】
【請求項１】
枕の左右にビニール製の穴を設け、該穴内に上側フランジと下側フランジを挿入して伸縮可能とし指の運動ができるようにしたことを特徴とする指健枕。
【考案の詳細な説明】
【技術分野】
【０００１】
本考案は、健康の為に指の運動を枕を利用して行うものである。
【背景技術】
【０００２】
枕を利用した先行技術は、特許文献１・２に見られるように、押圧部を有する指圧枕としたもので、睡眠中に後頭部を圧迫して、肩凝り、頭痛、痺れ等の症状を取り、爽快な 目覚めを得るためのマッサージ効果が生じる枕である。
【先行技術文献】
【特許文献】
【０００３】
【特許文献１】登録実用第３０１３６０４号公報
【特許文献２】実開平２−１０２２４０号公報
【考案の概要】
【考案が解決しようとする課題】
【０００４】
指の運動の為にわざわざ器具を使用することもなく、夜寝る際に使用している枕にて指の体操が出来るようにしたものである。
【課題を解決するための手段】
【０００５】
枕の左右に開口部を設け、上側フランジと下部フランジをスライドできるように伸縮可能に挿入したことを特徴とするもので寝る前等に数本の指を挿入してウ日の関節体操ができるようにした枕である。
【考案の効果】
【０００６】
本考案の指健枕は頭元にあるので忘れることもなく、座って指健枕を前に置いてテレビでも観ながら使用することもでき、指の根元に刺激を与えて関節の運動する器具は他に類がない。このようにして指健枕を使用すれば脳は活性化します。
【図面の簡単な説明】
【０００７】
【図１】図１は両手の中指を入れて使用中の斜面図
【図２】図２は指健枕の上側フランジと下側フランジの断面図
【図３】図３は図１のＡ―Ａ断面図
【図４】図４は図２のビニールパイプを上から見た図
【図５】図５は図１のＢ―Ｂ断面図
【考案を実施するための形態】
【０００８】
本考案の実施態様に基づいて説明する。
【実施例】
【０００９】
図1は両手の中指を入れて使用中の斜面図であり、上側フランジ３を示すものである。図２は、状側フランジ３と下側フランジ４を示すもので両フランジ３、４は枕に挿入され伸縮可能になっている。図３は、Ａ−Ａの断面図でビニール製の穴を示したものである。図４は、ビニール製穴を上方より見た図であり、フランジ３には枕に止める穴８を設けている。図５は、Ｂ―Ｂの断面図でありビニール製の穴および上側フランジ３を示した図である。又、指健枕は枕として使えば一般の枕と何の違いもない穴が気になれば、タオルを掛ければよい。
枕を何年も使うと中身が低くなるが、これは２カ所ある。ビニールパイプはスライドがあるからよい。更に低いようであれば小さい詰替え用のパイプ長さ７ミリ直径４ミリ厚さ０．１ミリがあるので、図７のチャックから入れればよい。図１に示すように手の平を下にする方法と反対に手の平を上にして使用すれば更に効果があるが、全て自分で出来る範囲で使用することが重要です。
【符号の説明】
【００１０】
１  指健枕
２  両手の指を交互に入れるビニール製の穴
３  上側のビニールパイプと一体になったフランジ
４  パイプと一体になった下側フランジ
５  上下のパイプのスライド面
６  上下のパイプが当たるので２ｃｍ短くしてある
７  中身を入れる為のチャック
８  上のフランジも下のフランジも繊維を止める穴
９  上のフランジは繊維がほつれるので内側に止める
１０  下側は指を入れないのでパイプの穴を繊維で止める
【図１】
0003209570.tif 000003
【図２】
0003209570.tif 000004
【図３】
0003209570.tif 000005
【図４】
0003209570.tif 000006
【図５】
0003209570.tif 000007
【手続補正書】
【提出日】平成29年1月30日(2017.1.30)
【手続補正１】
【補正対象書類名】実用新案登録請求の範囲
【補正対象項目名】全文
【補正方法】変更
【補正の内容】
【実用新案登録請求の範囲】
【請求項１】
枕の左右に穴を設け、該穴内にビニールパイプからなる上側フランジと下側フランジを挿入して伸縮可能とし指の運動ができるようにしたことを特徴とする指健枕。
(57)【要約】      （修正有）【課題】体の不自由な方が、座椅子で休む時に、体の負担を少なくできる座椅子の左右及び前方部に配置可能な脇息を提供する。【解決手段】肘掛けの無い座椅子に使用する脇息であって、座椅子１２の下に敷く敷板部１と、肘掛部７を備え、敷板部は、座椅子の左右部及び前方部に肘掛部を設置する幅をはみ出して有し、かつ、はみ出した左右部と前方部には、肘掛部の底面と接続を可能とする係止部９−１を備え、肘掛部は、敷板部の係止部と接続自在として座椅子の左右及び前方部に配置可能とする。材質は肘掛け部分を除き木材であり、廃材でも製造が可能で加工がかんたんで、安価に出来る。【選択図】図２
0003209569.tif 000002
【実用新案登録請求の範囲】
【請求項１】
肘掛けの無い座椅子に使用する脇息であって、座椅子の下に敷く敷板部と、肘掛け部を備え、敷板部は、座椅子の左右部   及び前方部に肘掛部を設置する幅をはみ出して有し、かつ、はみ出した左右部と前方部には、肘掛部の底面と接続を可能とする係止部を備え、肘掛部は、敷板部の係止部と接続辞意有として座椅子の左右及び前方部に配置可能とする事を特徴の脇息。  
【請求項２】
前記係止部に凹部を有し、肘掛部の底面の凸部を組み込むことで固定することを特徴とする請求項１に記載の脇息。                                        
【請求項３】
前記係止部の凹部は、肘掛部と接続していない個所に専用の埋め込み材を有することを特徴とする請求項２に記載の脇息
【考案の詳細な説明】
【技術分野】
【０００１】
本考案は肘掛けの無い座椅子を使用時に、使用する時に組み立てて、使用すれば身体が左右どちらに、傾いても支えてくれ  脇息だけでなく、前方に置けば前方の支えにもなる。
【背景技術】
【０００２】
本考案は身体の、不自由な方々が使用している場合が多くて座椅子の使用時に、肘掛けがないと、体が左右に流れ易く安定しない、その上最近の座椅子は肘掛け無い商品が多いので、このの商品が必要になってくる。又前に置けば前方えの支えになり、後方は座椅子の背中部があり前後の、支えになる。
【考案の概要】
【考案が解決しようとする課題】
【０００３】
本考案は体の、不自由な方が肘掛けの無い、座椅子で休む時に体の負担を少なくする、工夫の改善が必要である。
肘掛けがないと、休んだ積りでも体は休んで無く、余計に体に負担が掛かり疲れが取れないので、改善した。
【課題を解決するための手段】
【０００４】
本考案は肘掛けの無い、座椅子が最近多く見られ、そこで必要に応じて左右に置く肘掛け及び前に置く脇息をスライド式必要に応じて肘掛けにして簡単に移動出来る様にする。
勿論床板の上には座椅子を乗せ、又そのうえには人間が 乗っている。
【考案の効果】
【０００５】
上記のように、現在使用している座椅子は、普通使う時には後にもたれかかって楽であるが、そのまま寝てしまうとその時バランスを崩してしまい、肘掛けの無い座椅子では体が左右に傾いたり前に崩れる、そこでこの脇息を使えばバランスがくずれる事も無く非常に楽である。この肘掛けを、体の支えとして、体の不自由な方向に置けば  、体の傾きは防げるし又、この肘掛けを支えとして休息でき、又前方に置けばTVを見ながら休息も出来る。その上、この肘掛けは、上に座椅子や人間が乗る事により、左、右、前方部分が共にスライド式で自由に移動出来る。
【図面の簡単な説明】
【０００６】
【図１】本考案座椅子の下部からの図である。
【図２】左右からの図である。
【図３】上部からの図である。
【図４】前後部よりの図である。
【符号の説明】
【０００７】
１  座椅子の床板。  
２  脇息がスライド式で入る溝である。    
３  脇息が床板からでている部分である。
４  脇息の前方部分がスライド式で入り左右に移動する溝である。
５  スライドした脇息が止まるストッパー部である。
６  床板に脇息を入れる、スライド式の入口であり、肘掛けの部分と８の脇板の部分が、取り外し自由なスライド式の溝である。
７  脇息の肘を置く部分である。
８  １の部分と７の部分を繋ぐ支柱である。
９  脇息を自由に床板上を自由に動かせる板である。
９一１  ９の突起部が入る溝に入る突起部である。
１０  ７の脇息上部肘置き部分と８の部分が接族していて重量感を無くし、解放感を与える為と脇息全体の軽量化を計る為でもあり、足の入れ場所でもある。
１１  脇息の脇の部分を前後に動かし自由に出し入れする溝である。
１２  座椅子の床の部分である。
１３  座っている人間の足である。
１４  座椅子の背中部分である      
１５  床板に付けた凹みで使用時に臀部の収まりが良くなるにつけた凹みである。
【考案を実施するための形態】
【０００８】
９、１１、１２等各部接続部を、見取り図では円角形にしているが加工の仕様状況により、三角形でもよい。
【図１】
0003209569.tif 000003
【図２】
0003209569.tif 000004
【図３】
0003209569.tif 000005
【図４】
0003209569.tif 000006
【手続補正書】
【提出日】平成29年1月30日(2017.1.30)
【手続補正１】
【補正対象書類名】実用新案登録請求の範囲
【補正対象項目名】全文
【補正方法】変更
【補正の内容】
【実用新案登録請求の範囲】
【請求項１】
肘掛けの無い座椅子に使用する脇息であって、座椅子の下に敷く敷板部と、肘掛け部を備え、敷板部は、座椅子の左右部及び前方部に肘掛部を設置する幅をはみ出して有し、かつ、はみ出した左右部と前方部には、肘掛部の底面と接続を可能とする係止部を備え、肘掛部は、敷板部の係止部と接続自在として座椅子の左右及び前方部に配置可能とする事を特徴の脇息。
【請求項２】
前記係止部に凹部を有し、肘掛部の底面の凸部を組み込むことで固定することを特徴とする請求項１に記載の脇息。
【請求項３】
前記係止部の凹部は、肘掛部と接続していない箇所に専用の埋め込み材を有することを特徴とする請求項２に記載の脇息
(57)【要約】      （修正有）【課題】先端側の食べ物を食べた後、先端側の折り目（溝）から順に串を折り目で折って短くすることができる食べ物用串を提供する。【解決手段】軸方向の複数箇所に折り目を構成する溝を設けた食べ物用串であって、手元側の溝の切り込み量に比して先端部側の溝の切り込み量が大きい。【選択図】図１
0003209505.tif 000002
【実用新案登録請求の範囲】
【請求項１】
軸方向の複数箇所に折り目を構成する溝を設けた食べ物用串であって、
手元側の溝の切り込み量に比して先端部側の溝の切り込み量が大きい食べ物用串。
【考案の詳細な説明】
【技術分野】
【０００１】  本考案は、だんご、焼き鳥、でんがく、おでん等の食べ物を串刺しする際に用いられる串に関する。
【背景技術】
【０００２】  従来の串は、竹を細く加工し、一端を刺し易いように尖らせたものが一般的である。しかしながら、串の先端にある食べ物は食べやすいが手元側にある食べ物は食べにくいという問題があった。この問題を解消するために、例えば、特許文献１に示されるように、串の任意の箇所に溝を設けることが提案されている。
この構造により、串の先端部から串に刺されている食べ物を食し終えた順に串の不要部分を溝部分で折り除去することで食べやすくしている。
【先行技術文献】
【特許文献】
【０００３】
【特許文献１】実開平８−２１０号公報
【考案の概要】
【考案が解決しようとする課題】
【０００４】  しかしながら、溝を設ける箇所が串の軸方向に複数箇所とした場合、例えば、串の先端部側の溝で折ろうとした際、串の手元側の異なる位置の溝で、折れてしまう虞がある。本考案は、このような問題を解決するためになされたものである。
【課題を解決するための手段】
【０００５】  上記の問題を解決するために、本考案の食べ物用串は、軸方向の複数箇所に折り目を構成する溝を設けた食べ物用串であって、手元側の溝の切り込み量に比して先端部側の溝の切り込み量が大きい。
【考案の効果】
【０００６】  本考案の食べ物用串によれば、先端側の食べ物を食べた後、先端側の折り目（溝）から順に串を折り目で折って短くすることができる。
【図面の簡単な説明】
【０００７】
【図１】本考案の串の一実施例を示す図である。
【考案を実施するための形態】
【実施例】
【０００８】  図１は、本考案の食べ物用串の一実施例を示す図である。串は、竹製であり、軸方向の３箇所に、溝３が形成されており、各溝３の切り込み量（切り込み深さ）は、先端部１から手元側２に向かって、順に小さく（切り込み深さが小さく）なっている。これにより、先端部１側から順に折れやすくなっており、先端部１側から食べ物（図示せず）を食べ終わるごとに、先端部１側から順に、溝３で串を折ることができる。尚、溝３の間隔は、食べ物の大きさ、用途などに応じて設定される。
尚、本考案が適用される串の材質は、竹製に限らず、プラスチック等の他、他の材質のものでもよい。また、串の断面形状は、円形以外に四角形などの多角形、楕円形のいずれのものでもよい。
【符号の説明】
【０００９】１  先端部
２  手元側
３  溝
【図１】
0003209505.tif 000003
(57)【要約】      （修正有）【課題】従来の食品用ラップフィルムロールの使用に代表される、ラップフィルムをケースから引き出して鋸形の刃で切り取り、被包装物に被せて密着させるという一連の動作の煩雑さ・難しさを解決する包装用フィルムを提供する。【解決手段】フィルム材をロール状にせず、枠１と、枠に平面を保つように仮止めされたフィルム材２とからなる形態の枠付き包装用フィルムであって、仮止めの強度はフィルム材を被包装物に当て押圧する力を加えるまではフィルム材と枠が一体化して分離せず、力を加えるとフィルム材が破断することなく分離する程度のものであることを特徴とする。【選択図】図１
0003209502.tif 000002
【実用新案登録請求の範囲】
【請求項１】
枠と、枠に仮止めされたフィルム材とからなる枠付き包装用フィルムにおいて、前記フィルム材は平面を保つように前記枠に仮止めされており、その仮止めの強度は前記フィルム材を被包装物に当て押圧する力を加えるまでは前記フィルム材と前記枠が一体化して分離せず、力を加えると前記フィルム材が破断することなく前記枠と分離する程度のものであることを特徴とする枠付き包装用フィルム。
【請求項２】
前記フィルム材は前記枠を正面から見た際の枠の外周で囲まれる図形と等しいかそれよりも小さく、且つ枠の内周で囲まれる図形と等しいかそれよりも大きいことを特徴とする請求項１記載の枠付き包装用フィルム。
【考案の詳細な説明】
【技術分野】
【０００１】  本考案は、包装作業を容易にする、フィルム材に枠を取り付けた枠付き包装用フィルムに関するものである。
【背景技術】
【０００２】  包装用フィルムの一例として、従来の食品用ラップフィルムロール（一例：幅２０ｃｍ、長さ５０ｍ）は、ロールが入る最低限の大きさの箱型容器に収納されており、使用する際は必要な長さの分だけラップフィルムをケースから引き出し、ケースに取り付けられた鋸形の刃に押し当てて切り取る方式が主である。
【先行技術文献】
【特許文献】
【０００３】
【特許文献１】実公平７−３０５１０号  公報
【考案の概要】
【考案が解決しようとする課題】
【０００４】  背景技術欄で述べたように、包装用フィルムの一例である従来の食品用ラップフィルムロールの場合は、使用する際にはラップフィルムをケースからまっすぐ引き出して鋸形の刃で切り取り、食品が入った食器等被包装物に被せて密着させる動作が必要になる。【０００５】  この一連の動作は手が上手く使えない人や子供等、人によっては難易度が高い。例えばラップフィルムをケースから引き出す際にラップフィルムの端が見つけにくかったり、引き出せてもが縒れてくっついたり、破れてしまったりする事がある。鋸形の刃で切り取る際もコツが必要で上手く切り取れない事がある。【０００６】  本考案では、上記のような包装用フィルム使用に係る一連の動作の煩雑さ・難しさを解決する、誰もが簡単に包装作業ができる包装用フィルムの形態を提案することを課題とする。
【課題を解決するための手段】
【０００７】  上記の課題を解決するため、本考案はフィルム材をロール状にすることを止め、枠と、枠に平面を保つように仮止めされたフィルム材とからなる枠付き包装用フィルムとした。仮止めの強度は前記フィルム材を被包装物に当て押圧する力を加えるまでは前記フィルム材と前記枠が一体化して分離せず、力を加えると前記フィルム材が破断することなく前記枠と分離する程度のものであることを特徴とする。【０００８】  前記フィルム材は前記枠を正面から見た際の枠の外周で囲まれる図形と等しいがそれよりも小さく、且つ枠の内周で囲まれる図形と等しいかそれよりも大きいことが好ましい。
【考案の効果】
【０００９】  本考案の枠付き包装用フィルムの形態では、ケースから包装用フィルムを引き出して切り取るという従来の包装用フィルム使用に係る煩雑な動作の省略が可能となったため、手が上手く使えない人や子供等誰でも容易に包装用フィルムによる包装作業ができる。
【図面の簡単な説明】
【００１０】
【図１】本考案の包装用フィルムの形態の一例を示す斜視図である。
【図２】図１の包装用フィルムの正面図である。
【図３】図１の包装用フィルムの背面図である。
【図４】図１のフィルムの実施方法を示した説明図である。
【図５】図１のフィルムの実施方法を示した説明図である。
【図６】図１のフィルムの実施方法を示した説明図である。
【考案を実施するための形態】
【００１１】  本考案の１つの実施形態である枠付き包装用フィルム８は、図１、図２、図３で示すように枠１とフィルム材２とからなる。フィルム材２は、図３で示すように、平面を保つように枠１に仮止め３されている。少なくとも３点以上で仮止め３されていることが好ましい。この仮止め３の強度は、フィルム材２を被包装物に当て押圧する力を加えるまではフィルム材２と枠１が一体化して分離せず、力を加えるとフィルム材２が破断することなく分離する程度であり、この条件を満たすのであれば糊、静電気等手段は問わない。
【００１２】  フィルム材２は、上記のように仮止め３が実施できるのであれば大きさは問わないが、複数個梱包したり保管したりする際に邪魔にならないようにするためには、図２や図３のように枠１を正面から見た際の枠の外周４で囲まれる図形と等しいかそれよりも小さく、且つ枠の内周５で囲まれる図形と等しいかそれよりも大きいことが望ましい。
【００１３】  枠１は、１つの実施形態である枠付き包装用フィルム８では四角形であるが、他の多角形、円等でもよい。枠１の厚みは、被包装物を包装する際支障をきたす等動作が容易にできない程度のものは望ましくない。
【００１４】  本考案は食品に限らず利用可能であるが、食品に使用する際は枠１、フィルム材２とも衛生上問題のない素材（枠１には紙、プラスチック等、フィルム材２には、樹脂製ラップフィルムやアルミホイル、紙等、包装用のもの）を使用する。枠１を再生紙等で使い捨てとするとさらに利便性がよい。
【００１５】  図４、図５、図６を用いて枠付き包装用フィルム８の使用例を説明する。まず図４で示すように、枠付き包装用フィルム８を、食品６の入った食器７に当てる。次にフィルム材２に対し食器７を覆うように押圧する力を加えて枠１とフィルム材２を分離させる。すると図５のような状態になる。最後に図６で示すように、食器７上に残ったフィルム材２を食器７の側面に沿わせて密着させる。
【産業上の利用可能性】
【００１６】  本考案の枠付き包装用フィルムを使用すると誰でも容易に包装作業ができるため、ユニバーサルデザイン商品として提供できる。フィルム材は樹脂製ラップフィルムだけでなく、アルミホイルや紙等様々な種類のフィルムを適用でき、また枠の形、色、柄も様々考えられるので、バリエーション豊かな商品展開が可能である。
【符号の説明】
【００１７】１  枠
２  フィルム材
３  仮止め
４  枠の外周
５  枠の内周
６  食品
７  食器
８  枠付き包装用フィルム
【図１】
0003209502.tif 000003
【図２】
0003209502.tif 000004
【図３】
0003209502.tif 000005
【図４】
0003209502.tif 000006
【図５】
0003209502.tif 000007
【図６】
0003209502.tif 000008
(57)【要約】【課題】プレイヤーの精神状態を適宜なリラックス状態に導いて、安定したプレイで飛距離や方向の正確性を向上させるゴルフグリップを提供する。【解決手段】ゴルフクラブ１のシャフト端部３に装着されるゴルフグリップ１０において、当該ゴルフグリップ１０の主材であるゴムに対し、純度９０％以上のケイ素からなるテラヘルツ鉱石の粉末体または粒状体を、重量比で１０％〜２０％含む構成とする。【選択図】図１
0003209516.tif 000002
【実用新案登録請求の範囲】
【請求項１】
ゴルフクラブのシャフト端部に装着されるグリップであって、当該グリップの主材であるゴムに対し、純度９０％以上のケイ素からなるテラヘルツ鉱石の粉末体または粒状体を、重量比で１０％〜２０％含むことを特徴とするゴルフグリップ。
【考案の詳細な説明】
【技術分野】
【０００１】
本考案はゴルフグリップに関し、具体的には、プレイヤーの精神状態を適宜なリラックス状態に導いて、安定したプレイで飛距離や方向の正確性を向上させるゴルフグリップの提供を可能とする技術に関する。
【背景技術】
【０００２】
ゴルフにおいては、打球の飛距離や方向性を読み通りに安定させることが重要であり、種々の天候や風、グリーンの状態等を踏まえた正確でぶれのないスイングやパッティングを追求する必要がある。このような必要性を鑑み、ゴルフクラブなど各種用具の改良、進化は年々加速している。
【０００３】
そうした技術のうち、例えば、血流を促進しつつ脈拍を沈静化させることで、ゴルフの成績を向上させるとの目的で、遠赤外線放射特性を備えた天然鉱石の粉体と、ゴム原料または皮革原料と、を主原料として含み、且つ、人体に接触しうる部位に関するゴム製品または皮革製品であることを特徴とするゴルフ用具（特許文献１参照）などが提案されている。
【０００４】
また、ゴルフグリップに関する従来技術として、互いに連結された複数の縦割りにしたゴルフグリップ部材によりゴルフクラブの棒状体の端部に固着して、ゴルフクラブの棒状体の端部をゴルフグリップ部材により被覆させたとき、ゴルフグリップ部材によりゴルフクラブの棒状体の端部の輪郭も外からみて角形に見えるようにしてなるゴルフグリップ（特許文献２参照）なども提案されている。
【先行技術文献】
【特許文献】
【０００５】
【特許文献１】特開２００１−２５２３８８号公報
【特許文献２】特許第２７２５２３３号
【考案の概要】
【考案が解決しようとする課題】
【０００６】
従来技術におけるゴルフ用具では、プレイヤーの状態を安定させる等の効果が期待されているが、ハイレベルなプレイヤーにおいては、更なる効果が必要とされている。
【０００７】
そこで本考案は、上記のような課題に鑑みなされたものであって、プレイヤーの精神状態を適宜なリラックス状態に導いて、安定したプレイで飛距離や方向の正確性を向上させるゴルフグリップの提供を目的とする。
【課題を解決するための手段】
【０００８】
上記のような課題を解決する本考案のゴルフグリップは、ゴルフクラブのシャフト端部に装着されるグリップであって、当該グリップの主材であるゴムに対し、純度９０％以上のケイ素からなるテラヘルツ鉱石の粉末体または粒状体を、重量比で１０％〜２０％含むことを特徴とする。
【考案の効果】
【０００９】
本考案によれば、プレイヤーの精神状態を適宜なリラックス状態に導いて、安定したプレイで飛距離や方向の正確性を向上させるゴルフグリップの提供が可能となる。
【図面の簡単な説明】
【００１０】
【図１】本実施形態におけるゴルフグリップの側面図である。
【図２】本実施形態におけるゴルフグリップの断面図である。
【考案を実施するための形態】
【００１１】
以下、図面を参照しながら本考案の実施の形態について説明する。図１は本実施形態におけるゴルフグリップ１０の側面図であり、図２は本実施形態におけるゴルフグリップ１０の断面図である。
【００１２】
本実施形態におけるゴルフグリップ１０は、プレイヤーの精神状態を適宜なリラックス状態に導いて、安定したプレイで飛距離や方向の正確性を向上させるものである。本実施形態におけるゴルフグリップ１０は、ゴルフクラブ１のシャフト２における端部、すなわちシャフト端部３に設置されるものであって、概略形状自体は一般的なゴルフグリップと同様に円管状である。より具体的には、例えば口径６０ｍｍほどの円形断面の底部１１と、この底部１１から径を縮小しつつ所定長だけ延びるグリップ部１２と、グリップ部１２の上端にて円形断面を有する頂部１３とから主に成り立っている。
【００１３】
ここで本実施形態のゴルフグリップ１０に特徴的な構成としては、主材であるゴム４に対し、純度９０％以上のケイ素からなるテラヘルツ鉱石５の粉末体または粒状体を、重量比で１０％〜２０％含む点である。このように純度９０％以上のテラヘルツ鉱石５を適宜に含むゴルフグリップ１０においては、テラヘルツ鉱石の特徴とされる、使用者の精神状態を適宜なリラックス状態に導く効果が期待される。このことは、当該ゴルフグリップ１０がセットされたゴルフクラブ１の使用プレイヤーにおいて、安定したプレイでの飛距離や方向の正確性向上が期待される。
【００１４】
以上、本考案を実施するための最良の形態などについて具体的に説明したが、本考案はこれに限定されるものではなく、その要旨を逸脱しない範囲で種々変更可能である。
【符号の説明】
【００１５】
１  ゴルフクラブ
２  シャフト
３  シャフト端部
４  ゴム
５  テラヘルツ鉱石
１０  ゴルフグリップ
【図１】
0003209516.tif 000003
【図２】
0003209516.tif 000004
(57)【要約】【課題】持ちながら手や腕の運動をしても落とすことなく同時に手のひらのツボを刺激することができ、他にも、首筋、わきの下、わき腹、太もも、ひざ裏、ふくらはぎ、足裏などに当ててマッサージに使用できる健康器具を得る。【解決手段】身体のツボを刺激する突起２を配列した円柱体１の両端に楕円体のストッパー３と４を付随させ、ツボ刺激のため円柱体部分を手で握った状態において握る力を弱めても指がストッパー３または４に掛かり手から落ちないようにしたことと、別の使い方として、ストッパー３及び４を手で持って突起の付いた円柱体部分で身体のツボを刺激できる健康器具を提供する。【選択図】図１
0003209551.tif 000002
【実用新案登録請求の範囲】
【請求項１】
身体のツボを刺激するための小さな突起を多数配列した円柱体の両端に、円柱体の中心軸と同心円となるよう楕円体または球体を付随させた、誰でも無理なく持てるサイズと重さの樹脂製の健康器具。
【請求項２】
請求項１に記載の健康器具であって、円柱体の長手方向中央部分が両端より膨らんでいて、ツボ刺激のための突起も円柱体の形状に合わせて配列された健康器具。
【請求項３】
請求項１または請求項２に記載の健康器具であって、楕円体または球体が円柱体の中心軸を回転軸として自由に回転できる構造を持ち、両端の楕円体または球体を手で持った状態で中央の円柱体を身体に当ててマッサージできるローリング機能を有した健康器具。
【考案の詳細な説明】
【技術分野】
【０００１】
本考案は、手のひらのツボを効率よく刺激できる他、首筋、わきの下、わき腹、太もも、ひざ裏、ふくらはぎ、足裏などのマッサージにも効果的な、手軽で使い易い健康器具に関するものである。
【背景技術】
【０００２】
手のひらのツボを刺激する健康器具として、手のひらサイズの円柱体の表面に小さな突起を多数配列したものを手のひらと指で包み込むように握る器具が存在する。
【先行技術文献】
【特許文献】
【０００３】
【特許文献１】特開平８−１８２７１６号公報
【考案の概要】
【考案が解決しようとする課題】
【０００４】
しかし、上記のような円柱体のままでは手の握りを緩めたり軽く開いたりしたときに手の中からこぼれ落ちてしまうことがある。そのため、腕を振ったり回したりすることを伴う運動をしながら使用するには向いていなかった。特に、手の握力の弱いお年よりには使いにくいものであった。
【課題を解決するための手段】
【０００５】
この解決策として、円柱体の両端に楕円体または球体のストッパーを付随させれば、円柱体部分を手で握った状態から握る力を弱めても指がストッパーに掛かり落ちないようにできる。同時に、本体を樹脂製にすることで適度な運動に向いた重量となる。
【考案の効果】
【０００６】
落としにくくなることで、ジョギングや体操をするとき手に持って行えば、手のひらへの刺激と運動を同時に行うことができ効率的に新陳代謝を促進することができる。特に、手の握力の弱いお年よりにおいては意識せずとも器具を落とすことなく持つことができ、腕の運動と同時に手のひらへの刺激を行うことができる。
【０００７】
また、樹脂製にすることで、金属製に比べれば重量が軽いので椅子に座った状態でも無理なく使用できる。
【０００８】
加えて、樹脂製のためメンテナンス性がよく、汗などで汚れた時は水で丸洗いでき、金属製と違って錆びることもなく、木製とも違って水が浸透することもない。
【０００９】
本考案の結果、両端の楕円体または球体のストッパーを両手または片手で持ち、突起が配置された円柱体を、首筋、わきの下、わき腹、太もも、ひざ裏、ふくらはぎ、足裏などに当ててころがすことで身体各部のマッサージにも使用できる。
【図面の簡単な説明】
【００１０】
【図１】図１は健康器具の実施方法を示した説明図である。（実施例１）
【図２】図２は健康器具の実施方法を示した説明図である。（実施例２）
【図３】図３は健康器具の実施方法を示した説明図である。（実施例３）
【考案を実施するための形態】
【００１１】
本体はソリッドであり、曲面と突起を多用した形状を３Dプリンター及び射出成型を用いて実現した。
【実施例１】
【００１２】
図１は、本考案健康器具の１実施例の正面図であって、２〜４は、図２と同様である。
【実施例２】
【００１３】
図２の実施例は、円柱体の長手方向中央部分を両端より膨らませた場合である。
【実施例３】
【００１４】
図３の実施例は、ストッパーとなる楕円体３及び４が円柱体１の中心軸を回転軸として自由に回転できるようにすることで、円柱体１と楕円体３及び４がそれぞれ独立して回転できるようにした場合であり、図３は断面図である。
【産業上の利用可能性】
【００１５】
お年寄りの通うデイケアセンターなどで行う健康維持を目的とした体操の際に、手のひらの刺激と腕の運動を同時に効率よく行うことのできる補助器具として利用できる。
【００１６】
ダイエットを目的とした運動の補助器具としても適しているので、フィットネスジムやダンススタジオでエクササイズやダンスレッスンにも利用できる。
【００１７】
車椅子に乗った方でも上半身の運動の補助器具となり、リハビリ時にも利用できる。
【００１８】
企業において、オフィスワークの合間に利用すればストレス解消に役立ち、社員の健康維持と活力アップが期待できる。
【００１９】
保管場所を選ばないので個人宅でも身近に置いて手軽に使用でき、運動不足解消とボケ防止に役立つことが期待できる。
【００２０】
自動車や飛行機移動での長時間に及ぶ着席時や、被災による窮屈な避難生活において、省スペースでも身体のマッサージができるため、いわゆるエコノミークラス症候群に対する予防利用による効果が期待できる。
【符号の説明】
【００２１】
１    円柱体
２    突起
３    左ストッパー
４    右ストッパー
５    左ストッパー止め具
６    右ストッパー止め具
【図１】
0003209551.tif 000003
【図２】
0003209551.tif 000004
【図３】
0003209551.tif 000005
(57)【要約】      （修正有）【課題】閉じた傘を身近にあるものに付けて滑ることなく保持することが可能な滑り止め付き傘ハンドルカバーを提供する。【解決手段】長尺の袋状の傘ハンドルカバーの封止部先端部分に滑り止め１０２を装着させた構造となっており、傘のハンドルに取りつける。【選択図】図３
0003209964.tif 000002
【実用新案登録請求の範囲】
【請求項１】
傘ハンドルカバー先端部分に滑り止めを装着させた滑り止め付き傘ハンドルカバ−。
【考案の詳細な説明】
【考案の詳細な説明】
【技術分野】
【０００１】  本考案は、身近にあるものに閉じた傘のハンドル先端を付けて、この傘をかけ置くことができる傘のハンドル付属品に関する。
【背景技術】
【０００２】  従来の傘ハンドルカバーは、傘のハンドルを覆うことで、傘の目印としたり、デザインを向上させていた。
【先行技術文献】
【０００３】
【特許文献】
【特許文献】  実用新案登録  ３１５２０７６号公報
【考案の概要】
【考案が解決しようとする課題】
【０００４】  従来の傘ハンドルカバーは、閉じた傘をかけて置く際に、滑り止めがついていないので、身近なものに傘ハンドルの先端を付けて保持することが、滑るので難しかった。【０００５】  本考案は、上記課題を解決することを目的とし、閉じた傘のハンドル先端を身近にあるもの、例えば机や電車内の手すりに付けて、傘が滑ることなく、この傘を身近にあるものに保持することができることを目的とする。
【課題を解決するための手段】
【０００６】  上記目的を達成するために、本考案は、傘ハンドルカバー先端部分に滑り止めを装着させた滑り止め傘ハンドルカバーの構造となっている。
【考案の効果】
【０００７】  以上の説明から明らかなように、本考案にあたっては、傘ハンドルカバー先端部分に滑り止めを装着させた滑り止め傘ハンドルカバーの構造となっているので、閉じた傘ハンドル先端を身近にあるものに付けて傘が滑ることなく保持することができる。
【図面の簡単な説明】
【０００８】
【図１】本考案の実施形態を示す本物品の正面図
【図２】図１の側面図
【図３】図１の本物品を傘に装着した説明図
【考案を実施するための形態】
【０００９】  図１から図３は、本実施形態にかかる滑り止め付き傘ハンドルカバー１０１を示す図である。本実施形態にかかる傘ハンドルカバー１０１は、長尺の袋状のハンドルカバーの袋封止されている先端部分にかぶせるように椀状の滑り止め１０２が固着されているものである。滑り止め１０２は、塩化ビニル樹脂である。装着は、傘のハンドル２０１に滑り止め付き傘ハンドルカバー１０１を滑り止め付き傘ハンドルカバー１０１の末端の口１０３から通し、装着させる。末端の口１０３に通ったゴム１０４をストッパー１０５が止まるまでゴム１０４を引くことにより、傘のハンドル２０１に固定装着できる。
【符号の説明】滑り止め付き傘ハンドルカバー  １０１
滑り止め付き傘ハンドルカバー先端の滑り止め  １０２
滑り止め付き傘ハンドルカバー末端の口  １０３
滑り止め付き傘ハンドルカバー末端に付いているゴム  １０４
滑り止め付き傘ハンドルカバー末端に付いているゴムのストッパー  １０５
傘のハンドル  ２０１
【図１】
0003209964.tif 000003
【図２】
0003209964.tif 000004
【図３】
0003209964.tif 000005
(57)【要約】      （修正有）【課題】入浴時に、歯間と口腔内洗浄をする水流ノズル付きのホースを提供する。【解決手段】ホース２と、ホース２の一端に取り付けられる汎用型のホース連結部１と、ホース２の他端に取り付けられ、先端部を傾けているノズル４とを備え、浴室において、浴室に設置されている水道を利用して、歯間および口腔内の清掃をする。【選択図】図１
0003209969.tif 000002
【実用新案登録請求の範囲】
【請求項１】
浴室において、浴室に設置されている水道を利用して、歯間および口腔内の清掃をする水流ノズル付きのホース。
【考案の詳細な説明】
【技術分野】
【０００１】本考案は、浴室内に設置されている水道の蛇口から導いたホースの先のノズルによって、容易に、歯間の汚れや口腔内の清掃をする道具である。
【背景技術】
【０００２】従来、歯間や口腔内の清掃をする水流ノズルは、水圧を作るのに電力を用いている。
または、プラスチック製の柔らかいボトルの中間部を手指で押して、ボトルの先のノズルへ水を押し出している。
【考案で解決しようとする課題】
【０００３】しかし、電力式のものは、設置・収納に手数がかかり、また、高価である。手動式のものは、連続して水流を作れない。
また、いずれも、利用する際、洗面ボールに顔を突出し、口からあふれる浄水後の水を、そのボール内に落とすようにしなければならない。口からあふれ、飛び散る水を、着衣にかけてしまう場合もある。
【課題を解決する手段】
【０００４】歯間や口腔内の清掃を、裸でいる入浴時にできるように、ホースの一端にノズルをつけ。ホースの他端を浴室内の水道の蛇口に付け、このノズルからの水流を利用することで、簡易にして、廉価の口腔清掃ができる。
【考案の効果】
【０００５】水流で口腔内を洗浄する際に、口からあふれる水を、裸の入浴時には気にする必要なく、連続水流による洗浄が可能になる。
【考案を実施するための最良の形態】
【０００６】本案に必要な水量は、蛇口の栓を少し開くことで十分である。
蛇口に取り付けるホースは、園芸用の市販されている内径１．９センチ、外形２センチほどで、柔軟性のあるプラスチック製。
長さは約７０センチあれば十分である。
このホースの一端には、水道の蛇口が、様々な形態をしているので、汎用型の着脱可能な取り付け口が必要である。
他端には、長さ約１５センチ、直径が底部約２センチ、先端が約２ミリの穴の円錐型のノズルをつける。ノズルの先端の形状は、歯の裏側にもう水流を当てることができるように、約１３０度傾けてある。
【図面の簡単な説明】
【０００７】
【図１】  本考案の洗浄機の外観図
【図２】  本考案の洗浄機の利用図
【符号の説明】
【０００８】１、さまざまな形態の蛇口に取り付けられる汎用型のホース連結部
２、ホース
３、ホースとノズルの連結部
４、歯の裏側も洗浄できるように先端部を１３０度傾けているノズル
【図１】
0003209969.tif 000003
【図２】
0003209969.tif 000004
【手続補正書】
【提出日】平成29年1月30日(2017.1.30)
【手続補正１】
【補正対象書類名】実用新案登録請求の範囲
【補正対象項目名】全文
【補正方法】変更
【補正の内容】
【実用新案登録請求の範囲】
【請求項１】
ホースと、ホースの一端に取り付けられる汎用型のホース連結部と、ホースの他端に取り付けられ、先端部を傾けているノズルとを備え、浴室において、浴室に設置されている水道を利用して、歯間および口腔内の清掃をする水流ノズル付きのホース。
(57)【要約】      （修正有）【課題】音楽理論を図形を使って迅速正確に解明することができる音階スケール表を提供する。【解決手段】紙にピアノの鍵盤図形を上下２段に並べて記載し、前記鍵盤図形内に対応する音階名又はコードネームを記載し、上下に分割した上段スケール表及び下段スケール表からなる。【選択図】図１
0003209970.tif 000002
【実用新案登録請求の範囲】
【請求項１】
音階をピアノの鍵盤図形に明記したものを二つ作り、図形から音階パターン及び、コードネーム等を読み取る。迅速正確性が特徴とする、音階スケール表。
【考案の詳細な説明】
【技術分野】
【０００１】本考案は、音階スケールの図形を用いて、音楽の理論を解明するものである。
【背景技術】
【０００２】  譜面から、音階のパターンを読み取る時間よりも、音階図形の組み合わせで、瞬時に読み取りが出来る。
【先行技術文献】
【０００３】
【特許文献１】公開特許公報（Ａ）特開２００９−２０５１２０
【非特許文献】
【０００４】
【非特許文献１】中学生の音楽（株）教育芸術社Ｐ６９「音楽の約束」２０１４年Ｐ６９〜Ｐ７０
【考案の概要】
【考案が解決しようとする課題】
【０００５】  筆記による計算から音階図形の組み合わせをする事で、時間の短縮と正確性を、解決しようとするものである。
【課題を解決するための手段】
【０００６】  本考案は、音階を正確均等に分割した紙製のスケール表の制作。更により好ましいスケール表を制作するには、プラスチック製のスケール表と、パソコンによるソフトの開発で迅速性と正確性の問題点を解決しようとするものである。
【考案の効果】
【０００７】本考案の音階スケール表を使用する事で、迅速正確に音楽理論を読みとれる。
【図面の簡単な説明】
【０００８】
【図１】長調（メジャー）短調（マイナー）の、音階スケール表。
【図２】長調（メジャー）のスケールの使い方。
【図３】短調（マイナー）のスケールの使い方。
【図４】三和音（メジャー）コードの音の積み重ね★印。
【図５】三和音（マイナー）コードの音の積み重ね★印。
【図６】主要３コード（メジャー）の読み取り★印。
【図７】主要３コード（マイナー）の読み取り★印。
【考案を実施するための形態】
【０００９】図１
サイズは自由。使いやすさとして横１８Ｃｍ×縦５Ｃｍ程度の厚手の紙に、縦に２５等分をして上下に音階名を記入し、横にスライドして使用するので、二分割にする。（縦の一区切りは半音）
【実施例】
【００１０】以下の、添付図面に従って一実施例を説明する。
いろいろな呼称での音階名及び和音コードの表現に使う。
音階名
英・米語音名  Ｃ    Ｄ    Ｅ    Ｆ    Ｇ    Ａ    Ｂ    Ｃ
イタリア語    ド    レ    ミ  ファ    ソ    ラ    シ    ド
日本語      ハ    ニ    ホ    ヘ    ト    イ    ロ    ハ
数字表現    １    ２    ３    ４    ５    ６    ７    ８
図２
長調（メジャー）のスケールの使い方
長調の音階パターンはＣ  Ｄ  ＥＦ  Ｇ  Ａ  ＢＣでＥＦとＢＣが半音。あとは全音移調する実例は、原曲Ｃ（ハ長調）からＤ（ニ長調）に移調する時、上段のスケール表のＣを、下段のＤのポジションに合わせる。下段のＤの音階にするには、ＦとＣの音を半音上げて、Ｆ♯とＣ♯にするとＤ（ニ長調）の音階スケールになる。五線譜にファとドの位置に♯が、二つ付く理論が、スケール表で解明される。【００１１】図３
短調（マイナー）のスケールの使い方
マイナースケールは３種類。
１自然的短音階（ｍｉｎｏｒ）
２和声的短音階（Ｈａｒｍｏｎｉｃ  ｍｉｎｏｒ）
３旋律的短音階（Ｍｅｌｏｄｉｃ  ｍｉｎｏｒ）
１の自然的短音階（Ｍｉｎｏｒ）使い方
マイナーの音階パターンはＡ  ＢＣ  Ｄ  ＥＦ  Ｇ  ＡでＢＣ  ＥＦが半音で、あとは全音。
原曲Ａｍ（イ短調）から  Ｇｍ（ト短調）に移調する場合、上段スケールのＡを，下段のＧに合わせる。下段Ｇのスケール表からＢとＥの音を半音下げＢ♭Ｅ♭にすると、Ｇｍ（ト短調）の音階になる。五線譜にシとミの位置に♭が、二つ付く理論が、スケール表で解明される。【００１２】  和声的短音階（Ｈａｒｍｏｎｉｃ  ｍｉｎｏｒ）
短調スケールにＧの音に♯をつけたスケールになる。
Ａ  ＢＣ  Ｄ  ＥＦ  Ｇ♯Ａ【００１３】３旋律的短音階（Ｍｅｌｏｄｉｃ  ｍｉｎｏｒ）
短調スケールの上行形にＦとＧの音に♯をつけ、下行形は自然的短音階で下がってくる。（上行形と下行形で音が異なる）
0003209970.tif 000003
【００１３】  図４
和音（メジャーコード）１．３．５度の音の積み重ね。
和音のもとになるコードは米英語音名と数字などで表す。
Ｃコードの三和音は、根音の１度Ｃと３度Ｅと５度Ｇの音の組み合わせです。【００１４】  図５
和音（マイナーコード）１．３．５度の音の積み重ね。
和音のもとになるコードは米英語音名と数字などで表す。
Ａｍコードの三和音は、根音の１度Ａと３度Ｃと５度Ｅの音の組み合わせです。【００１５】  図６
主要３コード（メジャー）の読み取り。
Ｃ長調の場合。スケール表の、根音Ｃに、数字の１を合わせ、１．４．５の上のＣ．Ｆ．Ｇをコード読みにします。１主和音、４下属和音、５属七和音（セブンスコード）の、Ｃ．Ｆ．Ｇ７が主要３コード。【００１６】図７
主要３コード（マイナーコード）の読み取り。
Ａｍの場合。スケール表の、根音Ａに数字の１を．合わせ、１．４．５の下のＡ．Ｄ．Ｅをコード読みしますが、マイナーコードは４度のコードネームにマイナー（ｍ）の呼称をつけ、Ａ．Ｄｍ．Ｅ７が主要３コード。
【符号の説明】
【００１９】１長調（メジャースケール）音階のパターン。
２短調（マイナースケール）音階のパターン
３Ｄメジャーの音階。
４Ｇｍ（マイナー）の音階
５長調スケールを数字で表現。
６長調（Ｍａｊｏｒ）の略式記号のＭ。
７短調（ｍｉｎｏｒ）の略式記号のｍ
８短調スケールを数字で表現。
【図１】
0003209970.tif 000004
【図２】
0003209970.tif 000005
【図３】
0003209970.tif 000006
【図４】
0003209970.tif 000007
【図５】
0003209970.tif 000008
【図６】
0003209970.tif 000009
【図７】
0003209970.tif 000010
【手続補正書】
【提出日】平成29年2月2日(2017.2.2)
【手続補正１】
【補正対象書類名】実用新案登録請求の範囲
【補正対象項目名】全文
【補正方法】変更
【補正の内容】
【実用新案登録請求の範囲】
【請求項１】
紙にピアノの鍵盤図形を上下２段に並べて記載し、前記鍵盤図形内に対応する音階名又はコードネームを記載し、上下に分割した上段スケール表及び下段スケール表からなる音階スケール表。
(57)【要約】      （修正有）【課題】軽量で、高い場所にも狭い隙間にも使用でき、埃をたやすく吸着する埃吸着使い捨て万能さすりを提供する。【解決手段】さすり部分を柄に巻き付けて輪ゴムで止め付けた埃吸着使い捨て万能さすりであって、（１）さすり部分は表裏同時活用するために細いのれん型の切り込みを有する。（２）さすり部分の材質は静電気が起こり易いポリエステル製不織布である。（３）さすり部分には埃の吸着力を高めるために流動パラフィンをコ−ティングする。（４）さすり部分には防虫のための忌避剤を噴霧する。（５）柄は先端に滑り止め用としての節のある自然竹を使用する。以上から構成される。【選択図】図４
0003209961.tif 000002
【実用新案登録請求の範囲】
【請求項１】
埃吸着使い捨て万能さすりに於いて
（１）形態は使用材質を表裏同時活用するために細いのれん型の切り込み入り。
（２）材質は静電気が起こり易いポリエステル製不織布。
（３）材質には埃の吸着力を高めるために流動パラフィンをコーティング。
（４）材質には防虫のための忌避剤噴霧。
（５）材質は水にも強いため雑巾としても使用可。
（６）材質を取り付ける柄は先端に滑り止め用としての節のある自然細竹使用。
（７）柄に材質着脱を簡単にするための輪ゴム使用
（８）使用後はさすり部分を燃えるごみとして廃棄。
以上からなる、埃吸着使い捨て万能さすり。
【考案の詳細な説明】
【技術分野】
【０００１】  本考案は、清掃用具等に関するものである。
【背景技術】
【０００２】  市販されている清掃用具は機具が重く、値段も高い。また、リ−スされている用具も値段が高い。老齢者や力の弱い人には扱いにくい品物が多い。【０００３】  この改善策として、はたきの形を利用することによって、たやすく家庭の埃を取り除き、清潔を保ち、汚れた部分を廃棄できて、必要経費の安い清掃用具が出来る。
【考案の開示】
【考案が解決しようとする課題】
【０００４】  解決しようとする問題点は、電気掃除機は重量があり、高い位置の清掃に適さない。又、フロ−リングワイパ−は機具が壊れ易く、埃吸着用紙も利用面が一部分だけで不経済である。このことは日常に頻繁に利用する道具としては不適当である。
【課題を解決するための手段】
【０００５】  本考案のさすりは、静電気を起こし易いポリエステル不織布を埃吸着面とし、軽い自然素材の細竹をさすりの柄として用いることによって、埃をたやすく吸着出来、使用後には埃で汚れた部分を簡単に捨て去ることができる。
【考案の効果】
【０００６】  本考案のさすりは、機具が軽いために、高い場所にも狭い隙間にも使用出来、埃をたやすく吸着する。【０００７】  本考案のさすりは、障子の桟、棚の上、フロ−リング床や、畳を軽く擦るだけで埃を吸着する。【０００８】  本考案のさすりは、水を吸着するので、ワックスかけや玄関のタイルの清掃にも適す。【０００９】  本考案のさすりは、安価に市販されている流動パラフィンと忌避剤をコ−ティングしたポリエステル不織布を用い、小型ののれんの形に整形したため埃吸着面積が多い。【００１０】  埃吸着面を固定する柄としての細竹は滑り止め部分に節があり、たやすく固定出来る。【００１１】  柄としての細竹に、さすりを固定するための輪ゴムは、着脱操作が簡単。【００１２】  使用済みのさすりは少量であり、燃えるごみとして廃棄出来る。そのために、洗濯の手間と洗剤と電力を必要としない。【００１３】  使用済みのさすりは洗濯にも耐え再利用も出来る。
【考案を実施するための最良の形態】
【００１４】  さすり部分は、小型ののれん型に整形したポリエステル不織布から成り、柄に巻き付けるのに取り付け易い。取り付ける柄は５０ｃｍの長さの細竹１本である。【００１５】  ポリエステル不織布は絡み易く、細竹の節で止まるので、輪ゴムをひと巻して、ひと縛りするだけで固定できる。
【実施例１】
【００１６】  障子の桟、棚の上、家具の隙間、畳の上、ビニ−ル床、フロ−リング床に軽く擦り、埃を吸着させる。【００１７】  玄関のタイルや滑らかなコンクリ−トの水拭きに耐える。【００１８】  床ワックス塗りに耐える。
【産業上の利用可能性】
【００１９】  掃除は毎日の必要不可欠なことであるため、掃除用具は軽便で、値段が安く、清潔がたやすく得られることが大事である。【００２０】  本考案のさすりの使用には、電力や動力を使用としないため自然環境のためにも効果的である。【００２１】  本考案のさすりは、乾拭きとしての利用範囲が、障子の桟、棚の上、家具の隙間、階段、フロ−リング、畳等として広い。【００２２】  本考案の材質は、水に濡れても強いため、床磨き用のワックスかけや、玄関タイルの雑巾かけとしても効果がある。【００２３】  本考案は、ポリエステル製不織布をさすりの形に整形したことで埃の吸着面が不織布の表裏と広がり、無駄が無い。【００２４】  本考案のさすりは軽くて頻度に耐える。【００２５】  使用後のさすりは、止めていた輪ゴムの片方を引っ張ることによって簡単に取り外すことが出来る。【００２６】  本考案の材質は、広く市販されているポリエステル製不織布と、庭木用に植生されている細竹であるため、さすりの製造がたやすい。【００２７】  本考案の製作には大きな機械は必要とせず、鋏と鋸を使うだけの手工業で成り立つ。
【図面の簡単な説明】
【００２８】
【図１】のれん型に裁断したポリエステル製不織布とさすりの柄となる細竹である。
【図２】ポリエステル製不織布を柄となる細竹に巻き付けはじめの図である。
【図３】ポリエステル製不織布を柄に巻き付けたものである。
【図４】輪ゴムを一巻一縛りして止め付けた完成図である。
【図５】使用後、さすり部分を取り外すために輪ゴムを外すところである。
【符号の説明】
【図１】
0003209961.tif 000003
【図２】
0003209961.tif 000004
【図３】
0003209961.tif 000005
【図４】
0003209961.tif 000006
【図５】
0003209961.tif 000007
【手続補正書】
【提出日】平成29年1月30日(2017.1.30)
【手続補正１】
【補正対象書類名】実用新案登録請求の範囲
【補正対象項目名】全文
【補正方法】変更
【補正の内容】
【実用新案登録請求の範囲】
【請求項１】
さすり部分を柄に巻き付けて輪ゴムで止め付けた埃吸着使い捨て万能さすりに於いて
（１）前記さすり部分は表裏同時活用するために細いのれん型の切り込みを有する。
（２）前記さすり部分の材質は静電気が起こり易いポリエステル製不織布である。
（３）前記さすり部分には埃の吸着力を高めるために流動パラフィンをコ−ティングする。
（４）前記さすり部分には防虫のための忌避剤を噴霧する。
（５）前記柄は先端に滑り止め用としての節のある自然竹を使用する。
以上からなる、埃吸着使い捨て万能さすり。